(57)【特許請求の範囲】
【請求項１】
開口部が設けられた筐体と、
前記筐体に少なくとも一部が収容されたディスプレイユニットと、
前記筐体に収容され、第一の辺部と第二の辺部とを有した回路基板と、
前記回路基板の前記第一の辺部と前記第二の辺部とにそれぞれ設けられ、前記開口部から露出された複数のコネクタ端子と、
前記回路基板に支持され、前記第一の辺部に面し前記開口部を覆った第一の覆部と、
前記回路基板に支持され、前記第二の辺部に面し前記開口部を覆った第二の覆部と、
を備え、
前記筐体は、前記回路基板の前記ディスプレイユニットとは反対側を覆った壁部を有し、
前記第一の覆部および前記第二の覆部のうち少なくとも一方は、前記壁部を支持した、表示装置。
【請求項２】
前記第一の覆部および前記第二の覆部には、前記コネクタ端子を露出させた第二の開口部が設けられた、請求項１に記載の表示装置。
【請求項３】
前記第一の覆部および前記第二の覆部のうち少なくとも一方は、前記回路基板に支持された複数の第一の支持部を有した、請求項１または２に記載の表示装置。
【請求項４】
前記第一の覆部および前記第二の覆部のうち少なくとも一方は、他方に支持された第二の支持部を有した、請求項１〜３のうちいずれか一つに記載の表示装置。
【請求項５】
前記第一の覆部および前記第二の覆部のうち少なくとも一方は、他方との位置ずれを抑制した抑制部を有した、請求項４に記載の表示装置。
【請求項６】
前記第二の支持部の幅が、前記第一の覆部の幅および前記第二の覆部の幅より小さい、請求項４または５に記載の表示装置。
【請求項７】
前記第一の覆部および前記第二の覆部のうち少なくとも一方は、前記回路基板に支持される位置に移動した際に弾性変形した弾性変形部を有した、請求項１〜６のうちいずれか一つに記載の表示装置。
【請求項８】
前記第一の覆部および前記第二の覆部のうち少なくとも一方は、合成樹脂材料で構成された、請求項１〜７のうちいずれか一つに記載の表示装置。
【請求項９】
開口部が設けられた筐体と、
前記筐体に少なくとも一部が収容されたディスプレイユニットと、
前記筐体に収容され、辺部を有した回路基板と、
前記回路基板の前記辺部に設けられ、前記開口部から露出されたコネクタ端子と、
前記回路基板に支持され、前記開口部を覆った覆部と、
を備え、
前記筐体は、前記回路基板の前記ディスプレイユニットとは反対側を覆った壁部を有し、
前記覆部は、前記壁部を支持した、表示装置。
【発明の詳細な説明】
【技術分野】
【０００１】
本発明の実施形態は、表示装置に関する。
【背景技術】
【０００２】
従来、筐体の裏面に設けられた開口部からコネクタが露出した表示装置が知られている。
【先行技術文献】
【特許文献】
【０００３】
【特許文献１】特開２００５−２２１８８６号公報
【発明の概要】
【発明が解決しようとする課題】
【０００４】
この種の表示装置では、コネクタが複数設けられた場合でも、製造の手間をより低減することが望まれている。
【０００５】
そこで、本発明の実施形態は、一例として、製造の手間をより低減することが可能な表示装置を得ることを目的の一つとする。
【課題を解決するための手段】
【０００６】
本発明の実施形態にかかる表示装置にあっては、筐体と、ディスプレイユニットと、回路基板と、複数のコネクタ端子と、第一の覆部と、第二の覆部と、を備えた。筐体には、開口部が設けられた。ディスプレイユニットの少なくとも一部は、筐体に収容された。回路基板は、筐体に収容され、第一の辺部と第二の辺部とを有した。複数のコネクタ端子は、回路基板の第一の辺部と第二の辺部とにそれぞれ設けられ、開口部から露出された。第一の覆部は、回路基板に支持され、第一の辺部に面し開口部を覆った。第二の覆部は、回路基板に支持され、第二の辺部に面し開口部を覆った。筐体は、回路基板のディスプレイユニットとは反対側を覆った壁部を有した。第一の覆部および第二の覆部のうち少なくとも一方は、壁部を支持した。
【図面の簡単な説明】
【０００７】
【図１】図１は、一実施形態にかかる表示装置の一例が示された正面図である。
【図２】図２は、一実施形態にかかる表示装置の一例が示された背面図である。
【図３】図３は、一実施形態にかかる表示装置の背面の一部の一例が示された斜視図である。
【図４】図４は、一実施形態にかかる表示装置のバックカバーを取り外した状態の一例が示された背面図である。
【図５】図５は、一実施形態にかかる表示装置の基板およびサイドカバーの一例が示された平面図である。
【図６】図６は、一実施形態にかかる表示装置の基板およびサイドカバーの一例が示された斜視図である。
【図７】図７は、一実施形態にかかる表示装置の第一のサイドカバーの一例が示された斜視図である。
【図８】図８は、一実施形態にかかる表示装置の第一のサイドカバーの一例が示された斜視図であって、図７とは別の角度から見た図である。
【図９】図９は、一実施形態にかかる表示装置の第二のサイドカバーの一例が示された斜視図である。
【図１０】図１０は、一実施形態にかかる表示装置の第二のサイドカバーの一例が示された斜視図であって、図９とは別の角度から見た図である。
【図１１】図１１は、一実施形態にかかる表示装置の基板および第一のサイドカバーの一部の一例が示された平面図（一部断面図）である。
【図１２】図１２は、一実施形態にかかる表示装置の基板および第二のサイドカバーの一部の一例が示された平面図（一部断面図）である。
【図１３】図１３は、一実施形態にかかる表示装置の基板、第一のサイドカバー、および第二のサイドカバーの一部の一例が示された平面図（一部断面図）である。
【図１４】図１４は、一実施形態にかかる表示装置の第一のサイドカバーおよび第二のサイドカバーの一部の一例が示された平面図（一部断面図）である。
【図１５】図１５は、一実施形態にかかる表示装置の筐体の壁部の一部、第一のサイドカバー、および第二のサイドカバーの一例が示された斜視図である。
【図１６】図１６は、一実施形態にかかる表示装置の基板にサイドカバーが装着される手順の一例が示された平面図であって、（ａ）は基板のみの状態、（ｂ）は基板に第一のサイドカバーが取り付けられた状態、（ｃ）は基板に第一のサイドカバーおよび第二のサイドカバーが取り付けられた状態が示された図である。
【図１７】図１７は、一実施形態の変形例にかかる表示装置の第一のサイドカバーおよび第二のサイドカバーの一部の一例が示された平面図（一部断面図）である。
【発明を実施するための形態】
【０００８】
以下では、便宜上、方向（Ｘ方向、Ｙ方向、Ｚ方向）が示されている。Ｘ方向は、表示画面４ａに対する正面視での筐体３の長手方向（図１では右方向、図２では左方向）、Ｙ方向は、表示画面４ａに対する正面視での筐体３の短手方向（図１，２では上方向）、Ｚ方向は表示画面４ａに対する正面視での筐体３の厚さ方向である。Ｘ方向、Ｙ方向、およびＺ方向は、相互に直交している。
【０００９】
また、以下の実施形態では、表示装置がテレビジョン受像機として構成された場合が例示されるが、本実施形態にかかる表示装置は、これには限定されない。本実施形態にかかる表示装置は、例えば、テレビジョン受像機以外の映像表示装置や、モニタ装置等、種々の電子機器として構成することができる。
【００１０】
本実施形態では、一例として、図１，２に示されるように、テレビジョン受像機１（表示装置）は、支持部２（支部、台、スタンド）と、筐体３と、を備える。具体的に、支持部２は、机や、棚、台等の載置部（載置面、図示されず）上に載置され、筐体３を起立された状態に支持する。支持部２は、筐体３を固定的に支持してもよいし、移動可能（回動可能、スライド可能）に支持してもよい。筐体３の支持部２に対する移動形態（回動形態）としては、例えばチルトや、スイベル、ピボット等がある。
【００１１】
また、本実施形態では、一例として、図１，２からわかるように、筐体３は、正面視および背面視では四角形状（本実施形態では一例として長方形状）の外観を呈している。また、図２に示されるように、筐体３は、前後方向（筐体３の厚さ方向、Ｚ方向）に薄い偏平な直方体状に構成されている。筐体３は、面３ａ（正面、前面、面部）とその反対側の面３ｂ（背面、後面、面部）と、を有する。面３ａと面３ｂとは略並行して（本実施形態では一例として平行に）設けられている。また、図１に示されるように、筐体３は、正面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。端部３ｄ，３ｆは、短辺部の一例である。筐体３は、一例としては、部品（図示されず）を収容する収容部として機能するとともに、重量物（ディスプレイユニット４や部品等）を支える支部としても機能することができる。
【００１２】
また、筐体３は、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、それぞれ四角形状（本実施形態では一例として長方形状）である。また、壁部３ｋは枠状であり、壁部３ｍは板状である。また、筐体３は、壁部３ｋと壁部３ｍとの間に亘った面３ｐ（側面、周面、亘面）を有する四つの壁部３ｎ（部分、プレート、側壁部、端壁部、立壁部、亘部）を有する。壁部３ｋには、四角形状の開口部３ｒが設けられている。
【００１３】
さらに、筐体３は、複数の部品（分割体、部材）が組み合わせられて構成されている。筐体３は、一例としては、少なくとも壁部３ｋを含む第一部材３Ｆｒ（第一部分、前側部材、カバー、ベゼル、フレーム、マスク）と、少なくとも壁部３ｍを含む第二部材３Ｒｒ（第二部分、後側部材、ベース、ボトム、プレート、カバー）とを有する。また、壁部３ｎは、本実施形態では、一例として、第二部材３Ｒｒの一部として構成されている。なお、筐体３は、第一部材３Ｆｒおよび第二部材３Ｒｒとは別に、第三部材（第三部分、中間部材、インナ、ミドルフレーム、ミドルプレート、図示されず）を備えることができる。その場合、第三部材の一部が、壁部３ｋ，３ｍ，３ｎの一部を構成することができる。第一部材３Ｆｒや、第二部材３Ｒｒ、第三部材等は、それぞれ、金属材料や合成樹脂材料等で構成されることができる。
【００１４】
また、本実施形態では、一例として、筐体３内には、ディスプレイユニット４（表示部、ディスプレイ、パネル、表示部品）が収容されている。ディスプレイユニット４の、面３ａ側に位置した表示画面４ａは、開口部３ｒを介して筐体３の前方（外方）に露出している。使用者は、前方側から開口部３ｒを介して表示画面４ａを視認することができる。ディスプレイユニット４は、正面視では四角形状（本実施形態では一例として長方形状）の外観を呈している。また、ディスプレイユニット４は、前後方向に薄い偏平な直方体状に構成されている。ディスプレイユニット４は、例えば、液晶ディスプレイ（ＬＣＤ，liquid crystal display）や、有機ＥＬディスプレイ（ＯＥＬＤ，organic electro-luminescent display）、プラズマディスプレイ（ＰＤＰ，plasma display panel）等である。
【００１５】
また、本実施形態では、一例として、図２，３に示されるように、筐体３の面３ｂを構成する壁部３ｍ（第二部材３Ｒｒ）には、図２の右側の領域から下側の領域にかけてＬ字状の凹部５ａが設けられている。そして、図３に示されるように、段差を構成する凹部５ａの底面５ｂと面３ｂの一般面である頂面３ｂ１（壁部３ｍ）との間に、底面５ｂ（面３ｂ）に沿う方向（本実施形態では側方あるいは下方）に開口したスリット状の開口部５が設けられている。この開口部５から、複数のコネクタ端子６が、露出している。図２，４を参照すれば明らかとなるように、第二部材３Ｒｒは、ディスプレイユニット４の後面４ｂを覆っている。また、開口部５は、底面５ｂまで延びている。このように、開口部５を底面５ｂ上まで延ばすことで、第二部材３Ｒｒがディスプレイユニット４の後面４ｂ上に装着される際に、第二部材３Ｒｒがコネクタ端子６に干渉するのが抑制される。
【００１６】
また、図４に示されるように、ディスプレイユニット４の後面４ｂを成す後壁４ｃには、回路基板７が、固定具としてのねじ８等によって固定されている。そして、本実施形態では、図５，６に示されるように、図５の右側に位置する回路基板７の右辺７ａ（辺部、第一の辺部または第二の辺部）および当該右辺７ａに角部７ｃを介して隣接した下辺７ｂ（辺部、第二の辺部または第一の辺部）の近傍に、それら右辺７ａおよび下辺７ｂに沿って、複数のコネクタ端子６が実装されている。コネクタ端子６としては、例えば、カードソケットや、ＵＳＢ（Universal Serial Bus）端子、ＬＡＮ（Local Area Network）ケーブル用ソケット、ＲＣＡ端子、Ｄ端子、Ｓ端子、ＤＶ端子、ＲＦ（Radio Frequency）端子、ＳＣＡＲＴ端子、ＳＤＩ（Serial Digital Interface）端子、オーディオ用ピン端子等がある。複数のコネクタ端子６は、第二部材３Ｒｒに設けられた開口部５から、筐体３の外へ露出している。なお、回路基板７には、導体からなる配線パターン（図示されず）が形成され、コネクタ端子６以外の電子部品（図示されず）も実装されている。
【００１７】
ここで、図５，６に示されるように、複数のコネクタ端子６は、回路基板７の右辺７ａおよび下辺７ｂの近傍に配置されているため、複数のコネクタ端子６がスリット状の開口部５から何ら覆われることなく露出する構成では、複数のコネクタ端子６とともに、回路基板７の周縁（本実施形態では右辺７ａおよび下辺７ｂ）も開口部５から露出してしまい、美観が損なわれてしまう。そこで、本実施形態では、図５，６に示されるように、回路基板７の右辺７ａおよび下辺７ｂに沿って、それぞれサイドカバー１１，１２（覆部、第一の覆部または第二の覆部）が設けられている。これにより、図３に示されるように、回路基板７の右辺７ａおよび下辺７ｂがサイドカバー１１，１２で覆われるため、これら右辺７ａおよび下辺７ｂが、開口部５を介して外部へ露出するのが、抑制される。サイドカバー１１，１２は、開口部５を部分的に覆う（塞ぐ）カバーであるとともに、回路基板７の右辺７ａおよび下辺７ｂをそれらの側方から部分的に覆うカバーである。サイドカバー１１，１２のうち一方が第一の覆部の一例であり、他方が第二の覆部の一例である。本実施形態では、一例として、回路基板７にサイドカバー１１，１２が取り付けられた（支持された）アセンブリ１０（基板アセンブリ、サブアセンブリ）が、ディスプレイユニット４に取り付けられる。
【００１８】
本実施形態では、一例として、図５〜８に示されるように、サイドカバー１１は、壁部１１ａ（縦壁、立壁、起立壁）、壁部１１ｂ（底壁、下壁、基壁）、および壁部１１ｃ（天壁、上壁、頂壁）を有する。壁部１１ａは、回路基板７の右辺７ａに面し（対向し）かつディスプレイユニット４の後面４ｂ（図４参照）上に起立した姿勢（後面４ｂと交叉した姿勢）で、右辺７ａに沿って帯状に延びている。壁部１１ｂは、壁部１１ａに後面４ｂ側で接続され、後面４ｂに沿って帯状に延びている。また、壁部１１ｃは、壁部１１ａに後面４ｂの反対側で接続され、後面４ｂと平行に帯状に延びている。また、壁部１１ｃは、壁部３ｍの筐体３内側の面３ｓ（図１５参照）に沿って延びている。すなわち、サイドカバー１１では、相互に接続された壁部１１ａ、壁部１１ｂ、および壁部１１ｃによって、Ｓ字状（クランク状）の断面が構成されている。
【００１９】
また、本実施形態では、一例として、図５，６，９，１０に示されるように、サイドカバー１２は、壁部１２ａ（縦壁、立壁、起立壁）、壁部１２ｂ（底壁、下壁、基壁）、および壁部１２ｃ（天壁、上壁、頂壁）を有する。壁部１２ａは、回路基板７の下辺７ｂに面し（対向し）かつディスプレイユニット４の後面４ｂ上に起立した姿勢（後面４ｂと交叉した姿勢）で、下辺７ｂに沿って帯状に延びている。また、壁部１２ｂは、壁部１２ａに後面４ｂ側で接続され、後面４ｂに沿って帯状に延びている。また、壁部１２ｃは、壁部１２ａに後面４ｂの反対側で接続され、後面４ｂと平行に帯状に延びている。また、壁部１２ｃは、壁部３ｍの筐体３内側の面３ｓに沿って延びている。すなわち、サイドカバー１２では、相互に接続された壁部１２ａ、壁部１２ｂ、および壁部１２ｃによって、Ｓ字状（クランク状）の断面が構成されている。
【００２０】
また、本実施形態では、一例として、図７〜１０に示されるように、縦壁部としての壁部１１ａおよび壁部１２ａには、コネクタ端子６を露出させる開口部１３（第二の開口部）が設けられている。開口部１３は、一例としては、図６に示されるように、一つまたは複数のコネクタ端子６毎に設けられることができる。
【００２１】
また、本実施形態では、一例として、図７，９等に示されるように、サイドカバー１１，１２は、回路基板７に支持される支持部１４ａ〜１４ｄ（第一の支持部）を有している。このうち、支持部１４ａ〜１４ｃは、回路基板７に掛かり、サイドカバー１１，１２が、右辺７ａまたは下辺７ｂと交叉し（直交し）かつ回路基板７の面７ｄに沿った方向に離れるのを、抑制している。
【００２２】
支持部１４ａは、図７に示されるように、サイドカバー１１の長手方向の端部１１ｄ（サイドカバー１２側の端部１１ｄ）よりもその反対側の端部１１ｅの近くに位置され、壁部１１ａから当該壁部１１ａと交叉する方向（直交方向）に突出している。支持部１４ａは、図１１に示されるように、回路基板７の面７ｄ上で当該面７ｄに沿って延びている。支持部１４ａは、箱状部１４ａ３、アーム部１４ａ１、および爪部１４ａ２を有する。箱状部１４ａ３は、三つの壁部が立体的に接続されて剛性が高められ弾性的な変形が抑制されている。また、箱状部１４ａ３には、開口部１４ａ４（本実施形態では、一例として切欠）が設けられている。図１１に示されるように、開口部１４ａ４は、回路基板７の厚さ方向の視線でねじ８と重なっている。すなわち、作業者は、回路基板７に支持部１４ａ（サイドカバー１１）が取り付けられた状態で、ねじ８を締めて、回路基板７をディスプレイユニット４の後面４ｂ（後壁４ｃ）上に取り付けることができる。アーム部１４ａ１（延部、板状部、帯状部）は、図６，１１に示されるように、箱状部１４ａ３から回路基板７の面７ｄに略接した状態で当該面７ｄに沿って帯状（板状）に延びている。爪部１４ａ２（突出部）は、アーム部１４ａ１の先端部で、当該アーム部１４ａ１と交叉した方向（本実施形態では、一例として直交方向）、かつ回路基板７の厚さ方向に突出し、回路基板７に設けられた開口部７ｅ（本実施形態では、一例として回路基板７を厚さ方向に貫通した貫通孔）に、挿入されている。このような構成において、支持部１４ａのアーム部１４ａ１および爪部１４ａ２はＬ字状に屈曲したフック（掛部）として、回路基板７の開口部７ｅの縁部７ｈ（支持部、掛部）に掛かっている。支持部１４ａと縁部７ｈとが掛かることにより、当該支持部１４ａが設けられた部分で、サイドカバー１１と回路基板７とが右辺７ａと交叉し（直交し）かつ回路基板７の面７ｄに沿った方向に離れるのが、抑制されている。
【００２３】
支持部１４ｂは、図７，８に示されるように、サイドカバー１１の長手方向の端部１１ｄに位置され、壁部１１ａから当該壁部１１ａと交叉する方向（直交方向）に突出している。支持部１４ｂは、図１３に示されるように、回路基板７の下辺７ｂに沿って延びている。支持部１４ｂは、アーム部１４ｂ１および爪部１４ｂ２を有する。アーム部１４ｂ１（延部、板状部、帯状部）は、図１３に示されるように、壁部１１ａから下辺７ｂに略接した状態で当該下辺７ｂに沿って帯状（板状）に延びている。爪部１４ｂ２（突出部）は、アーム部１４ｂ１の先端部で、当該アーム部１４ｂ１と交叉した方向（本実施形態では、一例として直交方向）、かつ回路基板７の面７ｄに沿う方向に突出し、回路基板７に設けられた開口部７ｆ（本実施形態では、一例として回路基板７の下辺７ｂに設けられた切欠）に、挿入されている。このような構成において、支持部１４ｂのアーム部１４ｂ１および爪部１４ｂ２はＬ字状に屈曲したフック（掛部）として、回路基板７の開口部７ｆの縁部７ｈ（支持部、掛部）に掛かっている。支持部１４ｂと縁部７ｈとが掛かることにより、当該支持部１４ｂが設けられた部分で、サイドカバー１１と回路基板７とが右辺７ａと交叉し（直交し）かつ回路基板７の面７ｄに沿った方向に離れるのが、抑制されている。このような構成において、支持部１４ｂは、回路基板７の角部７ｃを抱え込む状態で、回路基板７と掛かっている。
【００２４】
支持部１４ｃは、図９，１０に示されるように、サイドカバー１２の長手方向の端部１２ｄ（サイドカバー１１側の端部１２ｄ）よりもその反対側の端部１２ｅに位置され、壁部１２ａから当該壁部１２ａと交叉する方向（直交方向）に突出している。支持部１４ｃは、図１２に示されるように、回路基板７の左辺７ｉに沿って延びている。支持部１４ｃは、アーム部１４ｃ１、および爪部１４ｃ２を有する。アーム部１４ｃ１（延部、板状部、帯状部）は、図１２に示されるように、壁部１１ａから左辺７ｉに略接した状態で当該左辺７ｉに沿って帯状（板状）に延びている。爪部１４ｃ２（突出部）は、アーム部１４ｃ１の先端部で、当該アーム部１４ｃ１と交叉した方向（本実施形態では、一例として直交方向）、かつ回路基板７の面７ｄに沿う方向に突出し、回路基板７に設けられた開口部７ｇ（本実施形態では、一例として回路基板７の左辺７ｉに設けられた切欠）に、挿入されている。このような構成において、支持部１４ｃのアーム部１４ｃ１および爪部１４ｃ２はＬ字状に屈曲したフック（掛部）として、回路基板７の開口部７ｇの縁部７ｈ（支持部、掛部）に掛かっている。支持部１４ｃと縁部７ｈとが掛かることにより、当該支持部１４ｃが設けられた部分で、サイドカバー１１と回路基板７とが下辺７ｂと交叉し（直交し）かつ回路基板７の面７ｄに沿った方向に離れるのが、抑制されている。このような構成において、支持部１４ｃは、回路基板７の角部７ｊを抱え込む状態で、回路基板７と掛かっている。
【００２５】
また、支持部１４ｄは、回路基板７に掛かり、サイドカバー１１，１２が、回路基板７の面７ｄと交叉した方向（直交方向、回路基板７の厚さ方向）、ならびに回路基板７の右辺７ａまたは下辺７ｂに沿った方向に離れるのを、抑制している。具体的には、図７，９に示されるように、支持部１４ｄは、壁部１１ａ，１２ａから当該壁部１１ａ，１２ａと交叉し（直交し）かつ回路基板７の面７ｄと交叉した（直交した）方向に突出した壁部（リブ）として構成されている。支持部１４ｄには、回路基板７の右辺７ａまたは下辺７ｂが挿入されるスリット状の開口部１４ｄ１（図１４参照、切欠）が挿入されている。また、回路基板７の右辺７ａおよび下辺７ｂには、支持部１４ｄが挿入されるスリット状の開口部７ｋ（切欠、図１１〜１３参照）が設けられている。すなわち、本実施形態では、一例として、回路基板７と支持部１４ｄとが十字状に重なっている（交わっている）。
【００２６】
また、本実施形態では、一例として、図９，１３，１４に示されるように、サイドカバー１２は、サイドカバー１１に支持される支持部１４ｅ（第二の支持部）を有している。支持部１４ｅは、アーム部１４ｅ１および爪部１４ｅ２を有する。アーム部１４ｅ１は、回路基板７およびアーム部１４ｃ１（支持部１４ｃ）と回路基板７の厚さ方向に離れた位置に設けられ、下辺７ｂに沿って帯状（板状）に延びた部分（根元部分）とその先端側で右辺７ａに沿って端部１１ｅ側に向けて帯状（板状）に延びた部分（先端部分）とを有し、Ｌ字状に構成されている。爪部１４ｅ２は、サイドカバー１１の壁部１１ａ側に突出している。サイドカバー１１は、爪部１４ｅ２より壁部１２ａ側で壁部１１ａから当該壁部１１ａと交叉し（直交し）かつ回路基板７の面７ｄと交叉した（直交した）方向に突出した支持部１４ｆ（リブ）を有する。このような構成において、爪部１４ｅ２は、支持部１４ｆに掛かり、サイドカバー１２と回路基板７とが下辺７ｂと交叉し（直交し）かつ回路基板７の面７ｄに沿った方向に離れるのが、抑制されている。このように、サイドカバー１１およびサイドカバー１２のうち一方が他方に支持される構成は、一例としては、回路基板７での部品のレイアウト上の理由等から、回路基板７にはサイドカバー１１，１２を支持する構成が設け難い場合に、有利である。本実施形態では、一例として、回路基板７の角部７ｃには、ねじ８が設けられている。本実施形態によれば、ねじ８が、回路基板７の角部７ｃに寄って位置され易い。
【００２７】
さらに、本実施形態では、一例として、図９，１３，１４に示されるように、サイドカバー１２は、サイドカバー１１との位置ずれを抑制する抑制部１５を有している。抑制部１５は、アーム部１５ａおよび爪部１５ｂを有する。アーム部１５ａは、支持部１４ｂのアーム部１４ｂ１の回路基板７とは反対側で、下辺７ｂに沿って帯状（板状）に延びている。また、爪部１５ｂは、サイドカバー１１の壁部１１ａの回路基板７とは反対側で、アーム部１５ａの先端部から端部１１ｅ側に突出している。すなわち、抑制部１５は、支持部１４ｂを回路基板７とは反対側から覆っている。よって、本実施形態によれば、一例としては、抑制部１５によって、サイドカバー１２が、下辺７ｂに沿ってサイドカバー１１から離間するのが抑制され、ひいては、支持部１４ｄと支持部１４ｅとが掛かっている状態（サイドカバー１２がサイドカバー１１に支持された状態）が解除されるのが抑制される。
【００２８】
本実施形態では、サイドカバー１１，１２は、回路基板７に対する所定の支持位置（取付位置）に移動する際に、少なくとも部分的に弾性変形する。本実施形態では、一例として、支持部１４ａ〜１４ｃ，１４ｅおよび抑制部１５のアーム部１４ａ１，１４ｂ１，１４ｃ１，１４ｅ１，１５ａが、上記移動の際に、弾性的に撓み、回路基板７または他の部材の一部に押されて弾性的に変形する（当該一部を乗り越える）。本実施形態では、これらアーム部１４ａ１，１４ｂ１，１４ｃ１，１４ｅ１，１５ａが、スナップフィット機構の一例であり、弾性変形部の一例である。本実施形態によれば、一例としては、ねじやクリップ等の結合具を用いた場合に比べて、組み立て（製造）の手間が減り易く、製造コストが低くなり易い。なお、アーム部１４ａ１，１４ｂ１，１４ｃ１，１４ｅ１，１５ａ以外の部分が弾性変形しても良い。サイドカバー１１，１２は、一例としては、合成樹脂材料（プラスチック、エンジニアリングプラスチック）で構成される。また、サイドカバー１１，１２は、一例としては、絶縁性材料で構成される。
【００２９】
また、本実施形態では、一例として、図１５に示されるように、筐体３の第二部材３Ｒｒの壁部３ｍの、開口部１３の縁には、爪状の支持部９ａが設けられている。支持部９ａは、壁部３ｍの面３ｓ（内面）に突出され、その先端部と面３ｓとの間には隙間が形成されている。この隙間に、サイドカバー１１，１２の一部（本実施形態では、一例として、壁部１１ｃ，１２ｃに設けられた開口部１１ｆ，１２ｆ（図７，９参照）の周縁部）が挿入され、当該一部と支持部９ａとが筐体３の厚さ方向に掛かる。よって、本実施形態によれば、一例としては、支持部９ａが開口部１１ｆ，１２ｆに挿入されることにより、サイドカバー１１，１２が壁部３ｍを支持している（サイドカバー１１，１２と壁部３ｍとが掛かっている）。よって、一例としては、壁部３ｍがサイドカバー１１，１２、ひいては回路基板７、ひいてはディスプレイユニット４から筐体３の厚さ方向に離間するのが抑制され、開口部１３が筐体の幅方向に拡がるのが抑制されやすい。なお、サイドカバー１１，１２と壁部３ｍとが筐体３の厚さ方向に互いに掛かる構成は、この例には限定されない。
【００３０】
また、本実施形態では、一例として、図１５に示されるように、筐体３の第二部材３Ｒｒの壁部３ｍの、開口部５の縁には、Ｔ字あるいは十字のリブ状の支持部９ｂが設けられている。支持部９ｂは、壁部３ｍの面３ｓに突出され、その先端部は、ディスプレイユニット４側を向いている。支持部９ｂは、サイドカバー１１，１２の一部（本実施形態では、一例として、壁部１１ｃ，１２ｃに設けられた開口部１１ｇ，１２ｇの周縁部）に挿入され、当該一部と支持部９ｂとが壁部３ｍの面３ｓ，３ｂに沿った方向に掛かる。よって、本実施形態によれば、一例としては、支持部９ｂが開口部１１ｇ，１２ｇに挿入されることにより、壁部３ｍがサイドカバー１１，１２を支持している（サイドカバー１１，１２と壁部３ｍとが掛かっている）。よって、一例としては、サイドカバー１１，１２が壁部３ｍから当該壁部３ｍの面３ｓ，３ｂに沿った方向にずれるのが抑制されやすい。なお、サイドカバー１１，１２と壁部３ｍとが壁部３ｍの面３ｓ，３ｂに沿った方向に互いに掛かる構成は、この例には限定されない。
【００３１】
そして、本実施形態では、一例として、回路基板７に、図１６の（ａ）〜（ｃ）の手順でサイドカバー１１，１２が取り付けられ、アセンブリ１０が構成される。すなわち、（ａ）の回路基板７に、まずは、（ｂ）に示されるように、サイドカバー１１が取り付けられる。この際、サイドカバー１１は、上述したように、部分的に弾性変形しながら、回路基板７への取付位置（支持位置）へ移動する。また、この際、（ｂ）に示されるように、作業者は、まずは、二つの支持部１４ａ，１４ｂのうち一例として一方の支持部１４ａを回路基板７の開口部７ｅに掛け、当該開口部７ｅに掛かった支持部１４ａを支点としてサイドカバー１１を回動させ、もう一方の支持部１４ｂを回路基板７の開口部７ｆに掛けることができる。そして、（ｂ）の回路基板７、すなわち、サイドカバー１１が支持された回路基板７に、（ｃ）に示されるように、サイドカバー１２が取り付けられる。この際、サイドカバー１２は、上述したように、部分的に弾性変形しながら、回路基板７への取付位置（支持位置）へ移動する。また、この際、（ｃ）に示されるように、作業者は、まずは、二つの支持部１４ｃ，１４ｅ（図１３，１４参照）のうち一例として一方の支持部１４ｃを回路基板７の開口部７ｇに掛け、当該開口部７ｇに掛かった支持部１４ｃを支点としてサイドカバー１２を回動させ、もう一方の支持部１４ｅをサイドカバー１１の支持部１４ｆ（図１３，１４参照）に掛けることができる。
【００３２】
以上、説明したように、本実施形態では、一例として、回路基板７が、右辺７ａを覆ったサイドカバー１１と、下辺７ｂを覆ったサイドカバー１２とを、支持している。よって、開口部１３から筐体３内の回路基板７等の構成が見えにくくなる。そして、一例としては、回路基板７に、サイドカバー１１，１２を比較的簡単に取り付けることができるので、製造の手間やコストが減りやすい。また、本実施形態では、一例として、作業者は、サイドカバー１１，１２を、所謂スナップフィット方式により、部分的に弾性変形させながら移動させて所定位置に取り付けることができるので、ねじ等を使って固定した場合に比べて、製造の手間やコストが減りやすい。
【００３３】
また、本実施形態では、一例として、サイドカバー１２は、サイドカバー１１に支持された支持部１４ｅを有した。よって、本実施形態によれば、一例としては、回路基板７のサイドカバー１２を支持する部分（領域）を減らすことができる。よって、一例としては、回路基板７における部品のレイアウトの自由度が高まりやすい。
【００３４】
また、本実施形態では、一例として、サイドカバー１２は、サイドカバー１１との位置ずれを抑制する抑制部１５を有した。よって、本実施形態によれば、一例としては、サイドカバー１２がサイドカバー１１に支持された構成で、当該支持状態が解除されるのが抑制されやすい。
【００３５】
また、本実施形態では、一例として、支持部１４ｅの幅ｗ２（高さ）は、サイドカバー１１，１２の幅ｗ１（高さ）より狭い。よって、本実施形態によれば、一例としては、支持部１４ｅがより弾性変形しやすく、サイドカバー１２がサイドカバー１１に掛けられる作業がより容易に行われやすい。
【００３６】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態やその変形は、発明の範囲や要旨に含まれるとともに、特許請求の範囲に記載された発明とその均等の範囲に含まれる。また、上記実施形態や各変形例の技術的特徴は、適宜に組み合わせたり、部分的に置換したりして実施することができる。また、各構成（部位、特徴）のスペック（構造や、種類、方向、形状、大きさ、長さ、幅、厚さ、高さ、数、配置、位置、材質等）は、適宜に変更して実施することができる。例えば、上記実施形態や変形例で一方のサイドカバーが有していた構成（部位、特徴）は、他方のサイドカバーが有することができるし、両方が有することもできる。また、サイドカバー同士あるいはサイドカバーと回路基板とが掛かる構成は、種々に変形することができる。例えば、図１７の変形例に示されるように、サイドカバー１２の支持部１４ｅがサイドカバー１１を抱え込むように構成してもよいし、その場合、支持部１４ｅの爪部１４ｅ２が、サイドカバー１１に設けられた開口部１４ｇに挿入されてもよい。
【符号の説明】
【００３７】
１…テレビジョン受像機（表示装置）、３…筐体、３ｍ…壁部、４…ディスプレイユニット、６…コネクタ端子、７…回路基板、７ａ…右辺（辺部、第一の辺部または第二の辺部）、７ｂ…下辺（辺部、第二の辺部または第一の辺部）、１１…サイドカバー（覆部、第一の覆部または第二の覆部）、１２…サイドカバー（覆部、第二の覆部または第一の覆部）、１３…開口部（第二の開口部）、１４ａ〜１４ｄ…支持部（第一の支持部）、１４ｅ…支持部（第二の支持部）、１５…抑制部、１４ａ１，１４ｂ１，１４ｃ１，１４ｅ１，１５ａ…アーム部（弾性変形部）。
【要約】
【課題】一例として、製造の手間をより低減することが可能な表示装置を得る。
【解決手段】実施形態にかかる表示装置にあっては、筐体と、ディスプレイユニットと、回路基板と、複数のコネクタ端子と、第一の覆部と、第二の覆部と、を備えた。筐体には、開口部が設けられた。ディスプレイユニットの少なくとも一部は、筐体に収容された。回路基板は、筐体に収容され、第一の辺部と第二の辺部とを有した。複数のコネクタ端子は、回路基板の第一の辺部と第二の辺部とにそれぞれ設けられ、開口部から露出された。第一の覆部は、回路基板に支持され、第一の辺部に面し開口部を覆った。第二の覆部は、回路基板に支持され、第二の辺部に面し開口部を覆った。
【選択図】図３【図１】
0005275491.tif 000002
【図２】
0005275491.tif 000003
【図３】
0005275491.tif 000004
【図４】
0005275491.tif 000005
【図５】
0005275491.tif 000006
【図６】
0005275491.tif 000007
【図７】
0005275491.tif 000008
【図８】
0005275491.tif 000009
【図９】
0005275491.tif 000010
【図１０】
0005275491.tif 000011
【図１１】
0005275491.tif 000012
【図１２】
0005275491.tif 000013
【図１３】
0005275491.tif 000014
【図１４】
0005275491.tif 000015
【図１５】
0005275491.tif 000016
【図１６】
0005275491.tif 000017
【図１７】
0005275491.tif 000018